(57)【要約】【課題】この発明は、河川又は水路の壁角度に関係なく水密性を確保しながら起伏動作を可能とするゲートを安価に構築するための起伏ゲート装置を提供する。【解決手段】本発明は、河川又は水路壁勾配の緩急と無関係に起伏ゲート扉体側面と法面を可とう性材料を弛ませた状態で繋ぐことで起伏全行程での水密を確保した動作を可能にした。これにより、安価な工事費での起伏ゲート設置を可能にする。【選択図】図１
2005344486.tif 000002
【特許請求の範囲】
【請求項１】
略河床幅に設けられた四角形状で河床とヒンジ固定された扉体の側面と法面とを繋ぐ扉体起立時には上辺と水平な端面形状で弛んだ状態で水圧荷重を伝達し、倒伏時に法面上に平坦となる形状の可とう性材料と、
該材料を扉体側面に固定する押さえ及び受け部と、
法面に該材料を固定するための押さえ及びアンカーとで構成される固定部と、
を有することを特徴とした起伏ゲート装置。
【請求項２】
請求項１において、可とう性材料は圧縮方向に自由で引張り方向に伸びが極めて少なく必要な強度を有するゴム引き布とすることを特徴とした起伏ゲート装置。
【請求項３】
請求項１において、可とう性材料は引張り強度増加、又は上端面の形状保持のためにワイヤーロープ又はバネ鋼線を上流又は下流に設けることを特徴とした起伏ゲート装置。
【請求項４】
請求項１において、河川又は水路の側壁が鉛直な四角形断面での起伏動作を可能にすべく、該側壁と扉体側面とに設けた間隔に該材料と該固定部を設けることを特徴とした起伏ゲート装置。
【発明の詳細な説明】
【技術分野】
【０００１】  本発明は、河川又は水路（以下、河川等という）に設けられる起伏ゲート側面と法面又は側壁（以下、側壁等という）及び河床との水密を保つ動作機構に関するものである。
さらに詳しくは、河川又は水路が略水平な河床と傾斜した側壁の法面から成る略逆台形断面形状部に設けられる鋼製起伏ゲート、鋼製ゴム引き布合成起伏ゲート及びゴム引き布製起伏ゲートの起伏動作を可能とする起伏ゲート装置に係るものである。
【背景技術】
【０００２】  従来、河川等に起伏ゲートを設ける場合、該ゲート側部は河床に設けられたヒンジを回転中心として起伏動作する扉体と、その側部に設けられた水密ゴムが摺動するための鉛直壁構造が必要になっていた。従って、河川等の壁形状が傾斜であれば該ゲート上下流を水理的に問題のない長さまで土木工事により整備する必要があった。また、垂直壁構造の場合であっても、該ゲート扉体側部摺動水密を確保するための鋼鈑を埋め込む必要があり、いずれも工事費の増大を招いていた。【０００３】  これを受けて、次のように起伏ゲート側面と法面の水密を保つ起伏動作装置及び起伏ゲートが提案された。【０００４】  特開昭５３−１２３５２８号公報に開示された技術は、起立した起伏ゲート扉体上辺の水平面と法面との接線上にある点と、倒伏時扉体上辺端点を結ぶ線上に折れ点を持ち、起立時は各該点と扉体法尻点とを結ぶ２枚の三角形プレートがヒンジで繋がって動作するものである。【０００５】  また、特開２００３−１１９７５６号公報に開示された技術は起立した起伏ゲート扉体上辺の水平面より上にある法面点１と、倒伏時扉体上辺端点２を結ぶ線上に１リンクピッチで鋼棒の溶接されたリンクチェンを持ち、該法面点１と河床に設けられた主起伏ゲート回転中心と法尻線の交点３を結ぶ線上に回転中心を設けた副起伏ゲート有している。鋼棒は副ゲート回転中心部に球面支持され、該３点を結ぶ三角形状面に貼られるゴム布引製止水板が略平面となるよう上流側に固定された縦桁構造になっている。起伏動作は副起伏ゲート下流に配された空気袋体の膨張及び収縮駆動により行う。さらに、副ゲートの起立形状保持のため、主起伏ゲート起立時には上辺端に取り付けられたリンクチェンが張力を発生させ主ゲートと略同一面となる完全起立時の姿勢を確定させるものである。【０００６】  さらに、起伏ゲートの内、ゴム引き布製起伏ゲートでは、側壁と河床の３方向を固定することで倒伏時に扉体中央付近がＶ字形に変形する部位に流水が集中して河床へダメージを与える現象（以下、Ｖノッチ現象という）が問題となっている。
【特許文献１】特開昭５３−１２３５２８号公報
【特許文献２】特開２００３−１１９７５６号公報
【発明の開示】
【発明が解決しようとする課題】
【０００７】  前記特開昭５３−１２３５２８号公報に開示の構成では、２枚の三角形プレートが各ヒンジ部で谷折り山折りを繰り返すため、機構が複雑になり、製作費用が高価となる。【０００８】  前記特開２００３−１１９７５６号公報に開示の構成では、法面と起伏ゲート側面に生じる略三角形部を副起伏ゲートとし、ゴム引き布製止水板を略平滑にするために縦桁となる鋼棒と、リンクチェンを用い、下流に設けた空気袋体を含む駆動機構で起伏動作させているため、構造が複雑化し製作及び据付費用が高価となる。【０００９】  前記ゴム引き布製起伏ゲートでは、いわゆるＶノッチ現象対策として、水叩き部の補強土木工事費が高価となる【００１０】  本発明は上記課題を解決すべく、河川等壁及び水叩き部を掘削や補強することなく、また、駆動装置必要とせずに四角形又は略逆台形起伏ゲートを起立状態から倒伏状態まで水密を保って動作させる装置を安価で提供することを目的とする。
【課題を解決するための手段】
【００１１】  請求項１に記載の発明は、略河床幅に設けられた四角形状で河床とヒンジ固定された扉体の側面と、法面とを繋ぐ扉体起立時には上辺と水平な端面形状で弛んだ状態で水圧荷重を伝達し、倒伏時に法面上に平坦となる形状の可とう性材料と、
該材料を扉体側面に固定する押さえ及び受け部と、
法面に該材料を固定するための押さえ及びアンカーとで構成される固定部と、
を有することを特徴とした起伏ゲート装置である。【００１２】  請求項２に記載の発明は、可とう製材料は圧縮方向に自由で引張り方向に伸びが極めて少なく必要な強度を有するゴム引き布とすることを特徴とする。【００１３】  請求項３に記載の発明は、可とう製材料は引張り強度増加、又は上端面の形状保持のためにワイヤーロープ又はバネ鋼線を上流又は下流に設けることを特徴とする。【００１４】  請求項４に記載の発明は、河川及び水路の側壁が鉛直な四角形断面出の起伏動作を可能にすべく、該側壁と扉体側面とに設けた適当な間隔に該材料と該固定部を設けることを特徴とする。【００１５】  然るに、法面と起伏ゲート扉体側面を可とう製材料で繋ぐだけの簡単な構造としたことである。
【発明の効果】
【００１６】  本発明は扉体と側壁等及び河床とに生じる隙間を専用の扉体と駆動装置を設けることなく、また、摺動戸当り金物を設けることで発生する垂直壁化のための土木工事を必要とせずに連続した河川等断面形状で起伏全行程の水密を確保した動作を可能にした。これにより、経済的な起伏ゲート計画が新規河川等及び既設河川等において可能になる。
加えて、ゴム引き布製起伏ゲートにおいては、Ｖノッチ現象を極小にすることが可能となる。
【実施例】
【００１７】以下、本発明の一実施例を、図面を参照して詳細に述べる。
図１は本発明の代表図となる起伏ゲート装置の斜視図である。
図１に示す起伏ゲート装置１において、四角形状の扉体２は３をヒンジ回転中心として河床４にヒンジとして支持されている。扉体２の側面と法面５の間は可とう性材料６によって、図６に示すような扉体２上辺の水平面と法面５の接線上に存在する点７と、ヒンジ回転中心３の延長線と法面５の交点８とを結ぶ線上に図２及び３に示すアンカー９を介して設けられた法面押さえ１０と扉体２の側面に設けた受け部１１に扉体押さえ１２で繋がれている。【００１８】  可とう性材料６の形状は、図１に示す二点鎖線１３の位置まで扉体２が倒伏した時に点１４と７と８及び１５を繋ぐ線で閉じた、法面上に平坦な形状となる。【００１９】  さらに、扉体２が倒伏した時の点７、１４間の距離は起立時の７、１４ａより長くなり、可とう製材料６を示す線分８、１５から線分７、１４ａ間は水圧力により下流側へ図４に示すように湾曲した形状となる。この時、可とう性材料６に掛かる水圧荷重は面方向に分布する引張り負荷として扉体２及び法面５に伝達される。【００２０】  次に、扉体２と河床４との水密構造は扉体下部に設けた円形状部１６と、点１５から１６までの端面に河床４に設けられ可とう性材料６と同一平面状である平形水密ゴム１７の板厚面を押し付けて押さえ１８で固定する。【００２１】  また、図８に示す、一般的に扉体駆動に気体又は液体を袋体内部に圧入する駆動装置を有した鋼鈑ゴム引き布合成起伏ゲート１９の扉体２と河床４との水密構造は回転中心が可動ゴム２０内に存在するため、上記水密構造は不要となる。【００２２】  加えて、図９に示すゴム引き布製起伏ゲート２１は河川等壁が垂直な断面形状の場合、扉体側面と壁面間隔に上記同様の可とう性材料６を設け、起伏動作を可能にする。【００２３】  最後に、図９に示すゴム引き布製起伏ゲート２１は扉体側面と壁面間に上記同様の可とう製材料６を設けて固定部を河床のみとたことで、扉体４を全域均等倒伏可能にした。これによりＶノッチ現象を極小化する。
【産業上の利用可能性】
【００２４】  可とう性材料に設けた開口部に柔軟な材質のパイプもしくは溝形断面の部材を下流面に繋げて魚道付起伏ゲート装置としての適用も出来る。【００２５】  可とう性材料の引張負荷伝達材にカーボンナノチューブを用いて、該材の積層数を減らした薄型化に適用する。
【図面の簡単な説明】
【００２６】
【図１】本発明の代表図となる起伏ゲート装置の斜視図である。
【図２】図１に示す起伏ゲート装置における扉体起立時の正面図である。
【図３】同じくその扉体倒伏時の正面図である。
【図４】同じくその扉体起立時の平面図である。
【図５】同じくその扉体倒伏時の平面図である。
【図６】同じくその扉体起立時の断面図である。
【図７】同じくその扉体倒伏時の断面図である。
【図８】鋼製ゴム引き布合成起伏ゲートの断面図である。
【図９】垂直壁に設置されたゴム引き布製起伏ゲート装置の斜視図である。
【符号の説明】
【００２７】１  起伏ゲート装置
２  扉体
３  扉体回転中心
４  河床
５  法面
６  可とう性材料
６ａ  可とう性材料の上辺
７  法面側押さえ上端点
８  扉体回転中心延長線と法面の交点
９  アンカー
１０  法面側押さえ
１１  扉体受け部
１２  扉体側押さえ
１３  法面側押さえ上端点と扉体倒伏時上辺端間の距離を示す線
１４  扉体倒伏時上辺端
１４ａ  扉体起立時上辺端
１５  扉体回転中心延長線と扉体下部円形状部端面の交点
１６  扉体下部円形状部
１７  河床部水密ゴム
１８  河床部押さえ
１９  鋼鈑ゴム引き布合成起伏ゲート
２０  可動ゴム
２１  ゴム引き布製起伏ゲート
【図１】
2005344486.tif 000003
【図２】
2005344486.tif 000004
【図３】
2005344486.tif 000005
【図４】
2005344486.tif 000006
【図５】
2005344486.tif 000007
【図６】
2005344486.tif 000008
【図７】
2005344486.tif 000009
【図８】
2005344486.tif 000010
【図９】
2005344486.tif 000011